(57)【要約】【課題】広告主側で広告コンテンツを入力する端末コンピュータ、及び施設構内で構内ネットワークを介して接続された複数の端末機器に広告コンテンツを配信する構内サーバと、広域ネットワークを介して接続され、端末コンピュータからの広告コンテンツに関する配信条件情報を登録して管理する広告サーバ装置において、広告依頼側で配信条件の登録変更等を任意に直接設定可能とする。【解決手段】端末コンピュータからのアクセスを受付けて、当該端末コンピュータに対応する配信条件情報の登録を行なうステップT101〜T105，T109〜T110と、登録した配信条件情報に基づき、構内サーバが施設構内の端末機器に配信した広告コンテンツの回数を集計するステップT115，T116，T110と、登録した配信条件情報と配信回数とにより課金される広告料金を広告主側に提示するステップT101〜T108とを備える。【選択図】図６
2011109249.tif 000002
【特許請求の範囲】
【請求項１】
広告主側で広告コンテンツを入力する端末コンピュータ、及び施設構内で構内ネットワークを介して接続された複数の端末機器に上記広告コンテンツを配信する構内サーバと、広域ネットワークを介して接続され、上記端末コンピュータから入力される広告コンテンツに関する配信条件情報を登録して管理する広告管理サーバ装置であって、
上記端末コンピュータから上記広域ネットワークを介してのアクセスを受付けて、当該端末コンピュータに対応する配信条件情報の登録を行なう登録手段と、
上記登録手段で登録した配信条件情報に基づき、上記構内サーバが施設構内の端末機器に配信した広告コンテンツの回数を集計する集計手段と、
上記登録手段で登録した配信条件情報と上記集計手段で集計した配信回数とにより上記広告主側に対する広告料金の課金処理を行なう課金手段と
を具備したことを特徴とする広告管理サーバ装置。
【請求項２】
上記登録手段で登録する配信条件情報は、上記広告コンテンツがウェブページ形式及びストリームデータ形式のいずれであるかの識別情報、配信日時を特定する配信時間情報、及び上記端末機器で広告コンテンツを出力するタイミング及び形態を指定する出力指定情報の少なくとも１つを含むことを特徴とする請求項１記載の広告管理サーバ装置。
【請求項３】
上記出力指定情報は、出力タイミングとして端末機器の電源投入時、または端末機器で広告コンテンツ以外に出力する視聴コンテンツの切換時の指定、出力形態として視聴コンテンツと広告コンテンツとの同時出力または区分出力の別の指定の少なくとも１つを含むことを特徴とする請求項２記載の広告管理サーバ装置。
【請求項４】
上記登録手段は、上記端末コンピュータからのアクセスを随時受付けて、当該端末コンピュータに対応して登録されている配信条件情報を変更可能としたことを特徴とする請求項１記載の広告管理サーバ装置。
【請求項５】
上記計数手段で計数する広告コンテンツの回数、及び上記課金手段で課金処理した広告料金の少なくとも一方は、対応する端末コンピュータから閲覧可能としたことを特徴とする請求項１記載の広告管理サーバ装置。
【請求項６】
上記課金手段は、上記登録手段で登録する配信条件情報に対応した料金体系に基づいて広告料金の課金処理を行なうことを特徴とする請求項１記載の広告管理サーバ装置。
【発明の詳細な説明】
【技術分野】
【０００１】
本発明は、例えばホテルや旅館などの宿泊を伴う特定施設に設備されるテレビやパーソナルコンピュータに広告を配信する広告管理サーバ装置に関する。
【背景技術】
【０００２】
ホテルや旅館等の宿泊施設、あるいは病院等の入院施設等では、利用者のアメニティの向上や施設管理者の付帯収入の向上を目的として、ＣＳテレビ放送の映画番組等を有料化したシステムや、あるいはコンテンツ配信サーバを施設内に設けて客室等からのリクエストにより映画などの有料コンテンツを配信するＶＯＤ（ビデオ・オン・デマンド）システムなどの導入が浸透している。
【０００３】
近年、これらのシステムの設備を利用して、例えばホテル周辺の飲食店等の店舗の飲食メニューやイベント情報の宣伝を行なうことが望まれている。
【０００４】
そのような場合、上記システムを運営する管理者は、広告主となる上記飲食店等の店舗と、広告の配信条件や広告料などを事前に契約し、広告となるウェブサイト用画像あるいは動画データのコンテンツを配信サーバに蓄積すると共に該配信条件を配信サーバに登録しておく必要がある。
【０００５】
こうした形態による広告配信では、配信条件、具体的には配信頻度や広告料など設定をシステム管理者側が行なうものであり、広告主側では配信条件の変更登録に関与することができない。
【０００６】
また、特許文献では、例えば広告・ニュース等の情報配信に関する情報量の制限、外部通信網を通じて広告依頼主が広告料金の見積もり計算依頼等が可能な技術が提案されている。（例えば、特許文献１）
【先行技術文献】
【特許文献】
【０００７】
【特許文献１】特開２００７−２７２８３０号公報
【発明の概要】
【発明が解決しようとする課題】
【０００８】
上記特許文献には、広告またはニュース等の配信素材となる情報の新たな入稿を認めるか否かの配信情報量の制限に関する技術や、広告依頼主がインターネット及び専用回線を介して配信店舗数や配信情報等を入力し、ディスプレイにて視認しながら広告料金の見積計算を依頼する技術などが記載されている。  
しかしながら、この特許文献の技術では、広告依頼主側が広告の配信実績を確認することができない。
【０００９】
本発明は上記のような実情に鑑みてなされたもので、その目的とするところは、広告を依頼する側が配信先の指定や配信条件の新規登録または変更等を任意に直接設定することが可能な広告管理サーバ装置を提供することにある。
【課題を解決するための手段】
【００１０】
本発明の一態様は、広告主側で広告コンテンツを入力する端末コンピュータ、及び施設構内で構内ネットワークを介して接続された複数の端末機器に上記広告コンテンツを配信する構内サーバと、広域ネットワークを介して接続され、上記端末コンピュータから入力される広告コンテンツに関する配信条件情報を登録して管理する広告サーバ装置であって、上記端末コンピュータから上記広域ネットワークを介してのアクセスを受付けて、当該端末コンピュータに対応する配信条件情報の登録を行なう登録手段と、上記登録手段で登録した配信条件情報に基づき、上記構内サーバが施設構内の端末機器に配信した広告コンテンツの回数を集計する集計手段と、上記登録手段で登録した配信条件情報と上記集計手段で集計した配信回数とにより上記広告主側に対する広告料金の課金処理を行なう課金手段とを具備したことを特徴とする。
【発明の効果】
【００１１】
本発明によれば、広告を依頼する側が配信先の指定や配信条件の新規登録または変更等を任意に直接設定することが可能となる。
【図面の簡単な説明】
【００１２】
【図１】本発明の一実施形態に係る構内コンテンツ配信システム全体の構成を示すブロック図。
【図２】同実施形態に係る図１の配信管理サーバで採用する機能構成を示す図。
【図３】同実施形態に係る図１のホテルＬＡＮの構成を示すブロック図。
【図４】同実施形態に係る図３の広告配信サーバで採用する機能構成を示す図。
【図５】同実施形態に係る広告主側のＰＣから見た、配信条件の指定情報の登録、及び課金データの確認の処理内容を示すフローチャート。
【図６】同実施形態に係る図１の配信管理サーバの処理内容を示すフローチャート。
【図７】同実施形態に係る図３の広告配信サーバでの処理内容を示すフローチャート
【図８】同実施形態に係る配信条件の登録ページを構成する部分例を示す図。
【図９】同実施形態に係る配信条件の登録ページを構成する部分例を示す図。
【図１０】同実施形態に係る配信管理サーバのデータベースに記憶される課金データの例を示す図。
【図１１】同実施形態に係る広告主ＰＣで表示される課金データ確認ページの例を示す図。
【図１２】同実施形態に係る配信管理サーバのデータベースに記憶されるユーザ情報と配信条件指定情報の内容の例を示す図。
【図１３】同実施形態の変形例１に係るホテルＬＡＮの構成を示すブロック図。
【図１４】同実施形態の変形例２に係る客室内の装置構成を示すブロック図。
【発明を実施するための形態】
【００１３】
（発明の一実施形態・構成）  
以下本発明をホテル施設用コンテンツ配信システムに適用した場合の一実施形態について図面を参照して説明する。  
図１は、本実施形態に係る構内コンテンツ配信システム全体の構成を示す図である。インターネット網ＷＮを介して、複数社、例えば３社の広告主のパーソナルコンピュータ（ＰＣ）１１Ａ〜１１Ｃ、広告を配信するシステム管理者のパーソナルコンピュータ１２（ＰＣ）１２、同システム管理者が広告配信条件の情報等を管理する配信管理サーバ１３、及び、広告を行なう複数、例えば３件のホテル施設館内に設置されたホテルＬＡＮ（ローカルエリアネットワーク）１４Ａ〜１４Ｃが相互に接続される。
【００１４】
システム管理者のパーソナルコンピュータ１２では、各広告主のユーザ情報の登録や配信管理サーバ１３のメンテナンス等を行なう。
【００１５】
なお、上記広告主のパーソナルコンピュータ１１Ａ〜１１Ｃ、システム管理者のパーソナルコンピュータ１２、及び配信管理サーバ１３はいずれもハードウェア回路上は一般的なパーソナルコンピュータと同様の構成であるため、その図示及び説明は省略する。
【００１６】
図２は、上記配信管理サーバ１３にインストールされた、配信管理用のアプリケーションプログラムが採用する機能構成を示す図である。図示する如く配信管理サーバ１３では、配信条件登録部２１、データベース２２、及び配信条件配信部２３を有する。
【００１７】
配信条件登録部２１は、上記広告主のパーソナルコンピュータ１１Ａ〜１１Ｃから所定の配信条件の指定情報を受付けて登録する。  
データベース２２は、広告主毎の法人名、住所、ユーザＩＤ、パスワード、配信ホテル等のユーザ識別情報と、上記配信条件登録部２１により登録した配信条件の指定情報、後述する広告の出力回数、及び課金データ、ウェブページ形式の各種登録や入力などを促すページデータ等を記録する。  
配信条件配信部２３は、データベース２２に記録している配信条件の指定情報を配信する。
【００１８】
次に図３によりホテル館内に設置されるホテルＬＡＮ１４Ａ（〜１４Ｃ）の構成について説明する。同図で、インターネット網ＷＮはネットワーク機器３１と接続される。このネットワーク機器３１を介して、広告配信サーバ３２、ロビーのパーソナルコンピュータ（ＰＣ）３３、複数ｎの客室毎に設置されたセットトップボックス（ＳＴＢ）３４，３４，‥‥が接続される。
【００１９】
広告配信サーバ３２は、汎用のパーソナルコンピュータで構成するため、ハードウェア回路に関してはその説明を省略するが、このホテルＬＡＮ１４Ａ（〜１４Ｃ）内で広告の配信を実行する。
【００２０】
図４は、この広告配信サーバ３２にインストールされた、広告配信用上のアプリケーションプログラムが採用する機能構成を示す図である。図示する如く広告配信サーバ３２は、ウェブ広告蓄積部４１、動画広告蓄積部４２、データベース４３、配信部４４、及び課金データ処理部４５を有する。
【００２１】
ウェブ広告蓄積部４１は、例えばＸＭＬファイル、ＨＴＭＬファイルなどのウェブページ形式の画像データを蓄積する。
【００２２】
動画広告蓄積部４２は、例えばＨ．２６４／ＡＶＣファイルやＭＰＥＧ２ファイルなどの動画のストリーミングデータを蓄積する。
【００２３】
上記ウェブ広告蓄積部４１及び動画広告蓄積部４２は、いずれもハードウェア回路上では広告配信サーバ３２を構成するパーソナルコンピュータのＨＤＤ（ハードディスク装置）あるいはＳＳＤ（フラッシュメモリ装置）に構築する。
【００２４】
データベース４３は、配信条件の指定情報及び課金データ等を記憶する。
【００２５】
配信部４４は、データベース４３に記憶した配信条件の指定情報に従って上記ウェブ広告蓄積部４１または動画広告蓄積部４２に蓄積した広告データを読出し、ホテルＬＡＮ１４内で上記ネットワーク機器３１を介して配信する。
【００２６】
課金データ処理部４５は、上記データベース４３に記憶した配信条件の指定情報及び当該情報に従ってこのホテル館内で広告が出力された回数をカウントし、当該回数と配信条件に連動して広告料の課金処理を実行し、演算結果である広告料を上記データベース４３に記憶させる。
【００２７】
図３に戻り、ロビーのパーソナルコンピュータ３３は、ホテルのロビーに設置し、配信される広告等を出力する。
【００２８】
セットトップボックス３４，３４，‥‥は、客室毎に設置され、テレビ受像機３５，３５，‥‥と１対１に接続されて、広告を含んで配信される各種動画コンテンツをテレビ受像機３５，３５，‥‥で出力させる。
【００２９】
（発明の一実施形態・動作）  
次に上記実施形態の動作について説明する。  
なお本実施形態では、事前の契約において、第１社目の広告主のパーソナルコンピュータ１１Ａから入力した広告をウェブページ形式及び動画のストリーミングデータ形式でホテルＬＡＮ１４Ｃにて配信し、第２社目の広告主のパーソナルコンピュータ１１Ｂから入力した広告をウェブページ形式でホテルＬＡＮ１４Ｂにて配信し、第３社目の広告主のパーソナルコンピュータ１１Ｃから入力した広告をウェブページ形式でホテルＬＡＮ１４Ａにて配信するものとする。これらの広告配信は、各ホテルＬＡＮ１４Ａ〜１４Ｃ内に設置された広告配信サーバ３２のウェブ広告蓄積部４１及び動画広告蓄積部４２に蓄積されているものとする。
【００３０】
まず、上記３社のいずれか広告主のパーソナルコンピュータ１１Ａ〜１１Ｃから、ウェブページ形式あるいはストリーミングデータ形式の広告の配信条件の指定情報を登録する場合、及び課金データを確認する場合の動作について説明する。
【００３１】
図５は、広告主側のパーソナルコンピュータ１１Ａ（〜１１Ｃ）から見た、上記動作の処理内容を示すものである。以下、第１社目の広告主側で使用するパーソナルコンピュータ１１Ａでの処理を例にとって説明する。
【００３２】
その当初、システム管理者が配信管理サーバ１３を用いて提供する配信条件登録のホームページ（ＨＰ）にアクセスすると（ステップＳ１０１）、ユーザＩＤとパスワードの入力を要求するウェブページが表示される。
【００３３】
ここで、要求に応じて、予め登録済みのユーザＩＤとパスワードを入力し（ステップＳ１０２）、その内容が配信管理サーバ１３で認証されると、代わって「配信条件登録」、または「課金データ確認」のいずれかの選択を促すウェブページが表示される（ステップＳ１０３）。
【００３４】
「配信条件登録」を選択した場合（ステップＳ１０４）、図８及び図９にその一例を示す配信条件の登録ページが表示される（ステップＳ１０５）。
【００３５】
図８（Ａ）の（１）は、パーソナルコンピュータ１１Ａ側が未登録で新規の配信条件登録ページの内容を示すものであり、同図（Ａ）の（２）は２回目以降の登録済み状態での配信条件登録ページの内容を示す。
【００３６】
上記図８（Ａ）の（１）で示した新規の配信条件登録に関する設定を行なう場合には、合わせて図８（Ｂ）に示す配信手段の項目をプルダウンメニューの「Ａ：ウェブ」「Ｂ：動画」のいずれか少なくとも一方から選択指定することで、配信する広告コンテンツをウェブページと動画のストリーミングデータのいずれか一方、または両方の形態で配信するのかを指定する。
【００３７】
この配信手段の指定に続き、図８（Ｃ）に示す配信日の項目の「年」「月」「日」「曜日」「時間帯」をそれぞれのプルダウンメニューから指定する。
【００３８】
この配信日の指定に際し、規則性のない特別な指定日を希望する場合には、「日」の項目で「カレンダ」指定とすることで、図９（Ａ）に示すように例えば「２００９年７月」の七曜表によるカレンダを表示させた上で、当該カレンダ中の日にち部分のクリック操作により直接希望日を指定可能とする。複数の日にちを希望する場合には、同じ手順を繰返す。  
図９（Ｂ）は上記指定操作により登録された配信日の情報の例を示す。
【００３９】
さらに、図９（Ｄ）に示すように広告の出力手段を選択する項目として、  
「Ａ：ＳＴＢ又は、テレビ電源オン時に表示出力」  
「Ｂ：タイトル選択又は、チャンネル切替え時に表示出力」  
「Ｃ：視聴中のコンテンツ又は、テレビ番組に重畳表示出力」  
のいずれかを選択して指定する。
【００４０】
上記のような登録ページの内容に基づいて、随時配信条件を指定すると（ステップＳ１０６）、その内容が配信管理サーバ１３側へ送信されて、新規または変更した内容の登録が完了する（ステップＳ１０７）。
【００４１】
なお、上記ステップＳ１０５で説明したそれぞれのプルダウンメニューで配信条件を登録した場合、後にその登録した内容を再度「Ａ：なし」の指定を行なうことで解除するか、または各項目を変更するまでは、当該条件で毎月配信が継続されるが、カレンダで日にちを指定して登録した場合には、月が変わった時点で指定した内容が解除されるものとする。
【００４２】
また、上記説明では無条件に配信条件の登録を行なうものとして説明したが、すでに広告の配信先のホテル側で同一配信日（年、月、日、曜日、時間帯）の登録がすでに予め設定された数に達しており、それ以上の登録を行なうことができない場合には、配信管理サーバ１３が当該配信日の登録が一杯であり、それ以上の登録を行なうことができないので、配信日を変更して再度登録を行なうように促すガイドメッセージを通知するものとする。
【００４３】
また、上記ステップＳ１０４で「配信条件登録」を選択せず、「課金データ確認」を選択した場合には、ステップＳ１０８でそれを確認し、配信管理サーバ１３が上記データベース２２に記憶した課金データを参照して課金データ確認ページを作成することで、広告主のパーソナルコンピュータ１１Ａ〜１１Ｃがその課金データ確認ページを表示する（ステップＳ１０９）。
【００４４】
図１０（Ａ）は、配信管理サーバ１３のデータベース２２に記憶される、課金データを算出する基準となる基本単価データの例を示す。ここでは、広告の「重み」ランクが「Ａ」〜「Ｇ」の７段階に設定されており、各「重み」に対して「配信手段」「配信日」「基本単価」の項目が設定されている。
【００４５】
図１０（Ｂ）は、配信管理サーバ１３のデータベース２２に記憶される、第１社目の広告主Ａに関する配信回数の記録データの例を示す。ここでは、「広告主」の種別と、広告場所である「配信ホテル」、同ホテル内での表示出力(配信）回数として各「客室番号」毎に最終出力の日付と時刻を示す「月・日・時刻」、「ウェブ（出力）回数」「動画（出力）回数」の項目を記録している。
【００４６】
図１０（Ｃ）は、配信管理サーバ１３のデータベース２２に記憶される、各広告主毎の配信回数データの例を示す。すなわち、各「広告主」に対し、「配信ホテル」「配信手段」と課金データとしての「表示出力回数」及び「広告料金」の項目を設定して、配信回数に応じた課金データを記憶している。
【００４７】
配信管理サーバ１３側が上記図１０（Ａ）〜図１０（Ｃ）に記憶されたデータに基づいて課金データ確認ページを作成することで、広告主側のパーソナルコンピュータ１１Ａでは、例えば図１１に示すような当該ページが表示される。
【００４８】
図１１は、広告主Ａのパーソナルコンピュータ１１Ａで表示される課金データ確認ページの例を示す。  
図１１（Ａ）は見出し部分であり、広告主側を特定する名称とデータを集計した課金期間を示す。図１１（Ｂ）は、当該課金期間中に、配信手段であるウェブページ形式と動画のストリーミングデータ形式毎に広告を配信した回数と広告料金とを示す。なお、本来、課金期間の基本は月単位であるが、ここでは上述した如く広告主側が確認を行なった期間、例えば本実施形態のように７月９日であれば当月である７月１日から７月９日までを課金期間としている。  
図１１（Ｃ）は、上記課金期間の確認日までに広告を表示出力した配信ホテルの各客室毎の最終日付及び時刻と、配信手段毎の表示出力回数を示している。
【００４９】
次に配信管理サーバ１３における動作について説明する。  
図６は、配信管理サーバ１３での処理内容を示すフローチャートである。配信管理サーバ１３は、インターネット網ＷＮを介して広告主側のパーソナルコンピュータ１１Ａ〜１１Ｃ、システム管理者側のパーソナルコンピュータ１２、各ホテル館内のＬＡＮ１４Ａ〜１４Ｃ内の広告配信サーバ３２と接続され、通信を実行している。
【００５０】
この配信管理サーバ１３に対するアクセスがあった場合、配信管理サーバ１３ではそのアクセスが広告主側のパーソナルコンピュータ１１Ａ〜１１Ｃからのものであるか否か（ステップＴ１０１）、システム管理者のパーソナルコンピュータ１２からのものか否か（ステップＴ１１１）、各ホテル館内のＬＡＮ１４Ａ〜１４Ｃ内の広告配信サーバ３２からのものか否か（ステップＴ１１５）を順次判断する。
【００５１】
上記ステップＴ１１１でシステム管理者のパーソナルコンピュータ１２からのアクセスであると判断した場合、配信管理サーバ１３では次いで広告主のユーザ情報の登録要求であるか否かを判断する（ステップＴ１１２）。
【００５２】
ここで広告主のユーザ情報の登録要求ではなかった場合、その要求に応じた他の処理を実行するが、本実施形態ではその内容の説明については省略する。
【００５３】
上記ステップＴ１１２でユーザ情報の登録要求であると判断した場合、配信管理サーバ１３ではシステム管理者のパーソナルコンピュータ１２に対して、データベース２２から読出したユーザ情報登録ページを送信する（ステップＴ１１３）。
【００５４】
その後、システム管理者のパーソナルコンピュータ１２から新たに登録するユーザ情報が記入されたユーザ情報登録ページが返送されてきたか否かを繰返し判断して登録を待機する（ステップＴ１１４）。
【００５５】
システム管理者のパーソナルコンピュータ１２からユーザ情報が記入されたユーザ情報登録ページが返送されてくると、上記ステップＴ１１４でそれを判断し、データベース２２にユーザ情報を記録させた上で（ステップＴ１２０）、再び上記ステップＴ１０１からのアクセス待機状態に移行する。
【００５６】
図１２（Ａ）は、データベース２２に記憶されるユーザ情報の内容の例を示す。ここでは、「広告主（名）」、認証用の「ＩＤ」と「パスワード」、「住所」「電話番号」及び広告配信先を指定する「配信ホテル」の各項目を１組としてユーザ情報が登録されるものとする。
【００５７】
上記ステップＴ１０１で広告主側のパーソナルコンピュータ１１Ａ〜１１Ｃからのアクセスがあったと判断した場合、配信管理サーバ１３では、そのアクセスしてきたパーソナルコンピュータ、例えば広告主Ａに対応する１１Ａに対して認証を行なうためのＩＤとパスワードの入力ページをデータベース２２から読出して当該パーソナルコンピュータ１１Ａに対し送信する（ステップＴ１０２）。
【００５８】
この送信に対応して、パーソナルコンピュータ１１Ａから入力されるＩＤとパスワードが正しいことを確認した後（ステップＴ１０３）、配信条件の指定情報の登録と課金データの確認のいずれかを選択するためのページをデータベース２２から読出してパーソナルコンピュータ１１Ａへ送信する（ステップＴ１０４）。
【００５９】
この送信に対するパーソナルコンピュータ１１Ａからの応答が配信条件の指定情報の登録であるか否かを判断する（ステップＴ１０５）。  
配信条件の指定情報の登録であった場合、選択された通り配信条件の指定情報の登録ページを作成してパーソナルコンピュータ１１Ａ側へ送信する（ステップＴ１０９）。
【００６０】
そして、パーソナルコンピュータ１１Ａから登録ページの内容が返送されてきたことを確認した上で（ステップＴ１１０）、新たに登録された配信条件の指定情報を広告主Ａの情報としてデータベース２２に記録し（ステップＴ１２０）、再び上記ステップＴ１０１からのアクセス待機状態に移行する。
【００６１】
図１２（Ｂ）は、このときデータベース２２に記録される配信条件の指定情報の内容の例を示す。ここでは、「広告主（名）」及び「配信ホテル」の組合せ毎に、配信条件の指定情報として、「配信手段」と、「年」「月」「日」「曜日」「時間帯」からなる「配信日」、及び広告を出力するタイミングを示す「表示出力手段」の各項目を１組として配信条件の指定情報が登録されるものとする。
【００６２】
上記ステップＴ１０５においてパーソナルコンピュータ１１Ａ側で選択されたのが配信条件の指定情報の登録ではないと判断した場合、次いで課金データの確認が選択されたことを確認する（ステップＴ１０６）。ここで課金データの確認以外の選択、指示がなされた場合には、以降の処理は無効として、再び上記ステップＴ１０１からのアクセス待機状態に移行する。
【００６３】
また、ステップＴ１０６で課金データの確認であることを判断すると配信管理サーバ１３は、上記図１１で説明したような課金データを確認するページを作成し（ステップＴ１０７）、当該パーソナルコンピュータ１１Ａに対して送信した後（ステップＴ１０８）、再び上記ステップＴ１０１からのアクセス待機状態に移行する。
【００６４】
上記ステップＴ１１５で各ホテル館内のＬＡＮ１４Ａ〜１４Ｃ内の広告配信サーバ３２からのアクセスがあったと判断した場合に配信管理サーバ１３は、次に課金データであるか否かを判断する（ステップＴ１１６）。
【００６５】
課金データであると判断した場合、配信管理サーバ１３は当該広告配信サーバ３２から受付けた課金データに基づいて、データベース２２に記憶する、上記図１０（Ｂ）で示した配信回数の記録データの内容を更新記憶させた上で（ステップＴ１２０）、再び上記ステップＴ１０１からのアクセス待機状態に移行する。
【００６６】
上記ステップＴ１１６で課金データではないと判断した場合、次に配信条件の要求であるか否かを判断する（ステップＴ１１７）。配信条件の要求であった場合には、要求通りそのホテルがその時点で契約している配信条件の指定情報に基づいて配信条件のデータを列挙したページを作成し（ステップＴ１１８）、作成した配信条件のデータのページを当該ホテルＬＡＮ１４Ａ〜１４Ｃ内の広告配信サーバ３２に送信した後（ステップＴ１１９）、再び上記ステップＴ１０１からのアクセス待機状態に移行する。
【００６７】
上記ステップＴ１１５でアクセスが各ホテル館内のＬＡＮ１４Ａ〜１４Ｃ内の広告配信サーバ３２からのものではなかったと判断した場合、及び上記ステップＴ１１７で広告配信サーバ３２からのアクセスが配信条件の要求でもないと判断した場合には、いずれもその他の処理を行なうが、本実施形態では関係ないものとして、その説明を省略する。
【００６８】
次にホテルＬＡＮ１４Ａ〜１４Ｃ内の広告配信サーバ３２における動作について説明する。  
図７は、広告配信サーバ３２での処理内容を示すフローチャートである。広告配信サーバ３２は、インターネット網ＷＮを介して広告主側のパーソナルコンピュータ１１Ａ〜１１Ｃ、システム管理者側のパーソナルコンピュータ１２、配信管理サーバ１３と接続される一方で、ホテル館内に設置された同ＬＡＮ内のロビーのパーソナルコンピュータ３３、各客室のセットトップボックス３４，３４，‥‥とも接続され、それぞれとの間で通信を実行している。
【００６９】
この広告配信サーバ３２に対するアクセスがあった場合、広告配信サーバ３２はまずインターネット網ＷＮを介して配信管理サーバ１３からのアクセスであるか否かを判断する（ステップＰ１０１）。
【００７０】
配信管理サーバ１３からのアクセスであった場合、次にそのアクセスが配信条件の指定情報に関するものであるか否かを判断する（ステップＰ１０２）。
【００７１】
ここで配信条件の指定情報に関するものではなかった場合には、その他の処理を行なうが、本実施形態には関係しないものとして、その説明を省略する。
【００７２】
一方、上記ステップＰ１０２で配信条件の指定情報に関するものであると判断した場合には、データベース４３を参照し、データベース４３が正常であるか否かを判断する（ステップＰ１０３）。
【００７３】
ここでデータベース４３が正常であると判断すると、そのまま配信管理サーバ１３から受信した配信条件の指定情報をデータベース４３に記録し（ステップＰ１０４）、以上で広告配信サーバ３２へのアクセスに対する一連の処理を終えたものとして、再び次のアクセスに備えるべく上記ステップＰ１０１からの処理に戻る。
【００７４】
上記ステップＰ１０３でデータベース４３が正常ではないと判断した場合には、配信管理サーバ１３に対して当該広告配信サーバ３２に関する配信条件の指定情報を要求する通知を送信した上で（ステップＰ１０９）、以上で広告配信サーバ３２へのアクセスに対する一連の処理を終えたものとして、再び次のアクセスに備えるべく上記ステップＰ１０１からの処理に戻る。
【００７５】
上記ステップＰ１０１で広告配信サーバ３２に対するアクセスが配信管理サーバ１３からのものではなかったと判断した場合、広告配信サーバ３２は次いで同ホテルＬＡＮ内のセットトップボックス３４からの広告を要求するアクセスであるか否かを判断する（ステップＰ１０５）。
【００７６】
なお、セットトップボックス３４，３４，‥‥による広告の配信要求は、電源のオン時、あるいはコンテンツタイトルの切換時に発生するものとする。  
セットトップボックス３４からの広告を要求するアクセスではないと判断した場合には、その他の処理を行なうが、本実施形態には関係しないものとして、その説明を省略する。
【００７７】
上記ステップＰ１０５でセットトップボックス３４からの広告を要求するアクセスであると判断すると、広告配信サーバ３２は次に当該セットトップボックス３４に配信するべき広告があるか否かをデータベース４３を参照して判断する（ステップＰ１０６）。
【００７８】
配信する広告があると判断した場合には、対応する広告コンテンツをウェブ広告蓄積部４１及び動画広告蓄積部４２から読出し、要求通り当該セットトップボックス３４に対して送信すると共に（ステップＰ１０７）、広告を配信したことにより課金データを更新するべくデータベース４３の当該セットトップボックス３４の客室番号に対応して月、日、時刻の情報と共に配信回数の記録を書換える（ステップＰ１０８）。
【００７９】
その後、配信管理サーバ１３に対して配信出力の情報の通知を送信し（ステップＰ１０９）、以上でこの広告配信サーバ３２へのアクセスに対する一連の処理を終えたものとして、再び次のアクセスに備えるべく上記ステップＰ１０１からの処理に戻る。
【００８０】
上記ステップＰ１０６で配信するべき広告がないと判断した場合、広告配信サーバ３２は当該セットトップボックス３４に対して配信する広告がない旨の通知データを作成して通知し（ステップＰ１１０）、以上でこの広告配信サーバ３２へのアクセスに対する一連の処理を終えたものとして、再び次のアクセスに備えるべく上記ステップＰ１０１からの処理に戻る。
【００８１】
なお、ホテル施設における一実施形態として、広告のみの配信を行なう構成と動作について上述したが、近年はユーザ側の要求に対応した動画を配信するＶＯＤ（ビデオ・オン・デマンド）システムの導入が多くのホテル施設で実施されており、当該ＶＯＤシステムの配信サーバに本実施形態における広告配信サーバ３２を併設し、配信管理サーバ１３との連携機能を持たせることで本実施形態と同様の機能を実現できる。
【００８２】
上述した如く本実施形態によれば、広告主側のパーソナルコンピュータ１１Ａ〜１１Ｃから配信管理サーバ１３に対して、配信先の指定や配信条件の新規登録または変更等を任意に直接設定することが可能となる。
【００８３】
（変形例１）  
次いで上記ホテルＬＡＮ１４Ａ〜１４Ｃの他の構成について、上記一実施形態の変形例１として説明する。  
ここでは、アナログまたはデジタルのテレビ放送を受信する館内テレビ共聴システムをベースに、双方向通信で客室に設置したテレビ用セットトップボックスを、ホテルフロントに設置した管理コンピュータで管理する、所謂ホテル双方向有料化システムに採用した例について説明する。
【００８４】
図１３は、上記図３に代わるホテルＬＡＮ１４Ａ（〜１４Ｃ）の構成を示す。同図で、インターネット網ＷＮがネットワーク機器５１と接続される。このネットワーク機器５１は、インターネット網ＷＮを介して上記配信管理サーバ１３との通信を実行する。
【００８５】
このネットワーク機器５１に対して、広告配信サーバ５２及びセットトップボックス部５３が接続される。広告配信サーバ５２は、汎用のパーソナルコンピュータで構成するため、ハードウェア回路に関してはその説明を省略するが、このホテルＬＡＮ１４Ａ（〜１４Ｃ）内で広告の配信を実行すると共に、管理コンピュータ５４と接続されて相互間で通信を行なう。
【００８６】
セットトップボックス部５３は、複数台、例えば３台のセットトップボックス（ＳＴＢ）５３Ａ〜５３Ｃから構成され、広告配信サーバ５２に蓄積されたウェブページ形式あるいは動画のストリーミングデータ形式の広告データを受信し、ビデオ信号及びオーディオ信号に変換してテレビ変調器部５５に出力する。
【００８７】
テレビ変調器部５５は、上記セットトップボックス部５３の上記セットトップボックス５３Ａ〜５３からの出力をそれぞれテレビ変調器５５Ａ〜５５Ｃで予め設定されたチャンネルの高周波テレビ信号に変換して混合器５６に出力する。
【００８８】
管理コンピュータ５４は、汎用のパーソナルコンピュータで構成するため、ハードウェア回路に関してはその説明を省略するが、主として客室に設置したテレビ用セットトップボックス５８，５８，‥‥とポーリング方式の通信で視聴禁止、開放、指定チャンネルの切換え等の制御を行なう一方で、テレビ用セットトップボックス５８，５８，‥‥から送られてきた情報の処理や管理等を行なう。
【００８９】
混合器５６は、変調器部５５からの複数、例えば３チャンネル分の出力と管理コンピュータ５４の同軸通信回線を混合して混合器５７へ出力する。混合器５７は、混合器５６の出力にさらに図示しないテレビアンテナで受信した放送波を混合し、館内共聴ラインＣＬを介して各客室に設置されたテレビ用セットトップボックス５８，５８，‥‥に出力する。
【００９０】
テレビ用セットトップボックス５８，５８，‥‥は、それぞれテレビ受像機５９，５９，‥‥と１対１で接続され、当該客室のユーザである旅客が操作する、図示しない専用のリモートコントローラからの信号により、テレビチャンネルまたは広告チャンネルを選局してそのビデオ信号及びオーディオ信号を出力し、テレビ受像機５９で視聴再生させる。
【００９１】
なお、テレビ用セットトップボックス５８，５８，‥‥は、それぞれ２系統のチューナを設けることで、ピクチャ・イン・ピクチャ等とも称される、２画面同時表示を可能とする。
【００９２】
上記のような構成のホテルＬＡＮ１４Ａ（〜１４Ｃ）での動作について説明する。  
管理コンピュータ５４は上述した如く汎用のパーソナルコンピュータで構成するもので、ＨＤＤ（ハードディスク装置）あるいはＳＳＤ（ソリッドステートドライブ）に、予めテレビ放送チャンネル及び広告チャンネルの選局情報が記憶されている。
【００９３】
この管理コンピュータ５４に記憶されたテレビ放送チャンネル及び広告チャンネルの選局情報は、上記混合器５６、混合器５７、館内共聴ラインＣＬを介して各客室等のテレビ用セットトップボックス５８，５８，‥‥に配信され、テレビ用セットトップボックス５８，５８，‥‥内で不揮発的に記憶される。
【００９４】
すなわち、テレビ用セットトップボックス５８，５８，‥‥には、上記テレビ変調器５５Ａ〜５５Ｃがそれぞれ出力する広告チャンネルのチャンネル情報が予め記憶されている。
【００９５】
したがって、テレビ用セットトップボックス５８，５８，‥‥で図示しない専用のリモートコントローラがユーザに操作されて電源をオンした場合、あるいは番組を視聴中にチャンネルを変更した場合、当該テレビ用セットトップボックス５８は、自機の識別番号を付して上りチャンネルに指定されている周波数帯域の通知信号を生成し、上記館内共聴ラインＣＬ、混合器５７、混合器５６を介して管理コンピュータ５４に送出する。
【００９６】
これを受けた管理コンピュータ５４は、広告を行なうタイミングであることを広告配信サーバ５２に通知する。広告配信サーバ５２は、内部のデータベースを参照して、配信すべき広告データがあるか否かを判断する。
【００９７】
ここでデータベースに広告データがあった場合、広告配信サーバ５２はその時点でのセットトップボックス部５３の使用状況を確認し、空きがあるか否かを判断する。例えばセットトップボックス５３Ｂが空いていた場合、広告配信サーバ５２は広告データをセットトップボックス５３Ｂに配信する。
【００９８】
このセットトップボックス５３Ｂに配信した広告データが出力され、テレビ変調器５５Ｂで所定のチャンネルのテレビ信号に変換された後に、混合器５６、混合器５７、館内共聴ラインＣＬを介してテレビ用セットトップボックス５８，５８，‥‥に配信される。
【００９９】
このとき一方で広告配信サーバ５２は、上記セットトップボックス５３Ｂに広告データを配信した旨を管理コンピュータ５４に通知する。これを受けた管理コンピュータ５４が、上記通知を受けたテレビ用セットトップボックス５８に対して、セットトップボックス５５Ｂの出力するテレビ信号のチャンネルの選局を指示する。
【０１００】
テレビ用セットトップボックス５８，５８，‥‥は、上述した如く２系統のチューナ回路を有しているため、ユーザがリモートコントローラ操作により指定したチャンネルの画像を画面全体とし、その中に管理コンピュータ５４から指示されたチャンネルの広告データの小画面を組込んだ２画面同時表示用のビデオ信号を作成し、テレビ受像機５９で表示させる。
【０１０１】
このように、客室等に設置されたテレビ用セットトップボックス５８，５８，‥‥またはテレビ受像機５９，５９，‥‥の電源をオンした場合、コンテンツタイトルを選択するか、またはチャンネルを切換えた場合を広告データの出力タイミングとして、記憶している広告データを出力させることにより、ユーザ側にとっても違和感なく、受け入れ易い状況で広告データを出力させることができる。
【０１０２】
この場合、それまで出力していたコンテンツ等に代わって画面を切換て広告データを出力するものとしても良いし、上述したように２画面同時表示により本来のコンテンツの一部小画面を広告用に使用するものとしても良い。この表示形態の切換えは、管理コンピュータ５４での設定により容易に選択可能となる。
【０１０３】
（変形例２）  
次いで上記ホテルＬＡＮ１４Ａ〜１４Ｃの他の構成について、上記一実施形態の変形例２として説明する。  
図１４は、ホテルＬＡＮ１４Ａ（〜１４Ｃ）が設置されたホテル施設館内の、複数ある客室ＧＲのうちの１つでの装置構成を示す。同図に示すように、広告配信用のセットトップボックス（ＳＴＢ）６１に対して館内ＬＡＮが接続される一方で、テレビ受信用セットトップボックス（ＳＴＢ）６２に対してテレビ共聴システムが接続される。
【０１０４】
セットトップボックス６１は、ウェブページ形式または動画のストリーミングデータ形式の広告データが与えられる。セットトップボックス６１は与えられた広告データをビデオ（Ｖ）信号及びオーディオ（Ａ）信号に変換し、テレビ受信用セットトップボックス６２に出力する。
【０１０５】
テレビ受信用セットトップボックス６２は、テレビ共聴システムから入力したテレビ放送信号中から選局する信号に加え、上記セットトップボックス６１から入力したビデオ信号及びオーディオ信号を用いることで、画面全体で選局したテレビ放送の画像を表示すると共に、その一部に広告データ画像を重畳した２画面同時表示用の画像を作成して、ビデオ信号とオーディオ信号とをテレビ受像機６３に送出し、出力させる。
【０１０６】
このように複数ある客室ＧＲ毎に広告用のセットトップボックス６１とテレビ受信用セットトップボックス６２とを設置する構成とすることで、テレビ受信用セットトップボックス６２側は既存のセットトップボックスを使用することができる。
【０１０７】
なお、本実施形態は、ホテル施設用コンテンツ配信システムに適用した場合を例にとって説明したものであるが、本発明はこれに限ることなく、例えば病院等の入院施設内に設置される構内テレビ配信網などにも同様に適用可能である。
【０１０８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１０９】
１１Ａ〜１１Ｃ…（広告主）パーソナルコンピュータ（ＰＣ）、１２…（システム管理者）パーソナルコンピュータ（ＰＣ）、１３…配信管理サーバ、１４Ａ〜１４Ｃ…ホテルＬＡＮ、２１…配信条件登録部、２２…データベース、２３…配信条件配信部、３１…ネットワーク機器、３２…広告配信サーバ、３３…（ロビー）パーソナルコンピュータ（ＰＣ）、３４…セットトップボックス（ＳＴＢ）、３５…テレビ受像機、４１…ウェブ広告蓄積部、４２…動画広告蓄積部、４３…データベース、４４…配信部、４５…課金データ処理部、５１…ネットワーク機器、５２…広告配信サーバ、５３…セットトップボックス部、５３Ａ〜５３Ｃ…セットトップボックス（ＳＴＢ）、５４…管理コンピュータ、５５…変調器部、５５Ａ〜５５Ｃ…変調器、５６，５７…混合器、５８…テレビ用セットトップボックス（ＳＴＢ）、５９…テレビ受像機、６１…セットトップボックス（ＳＴＢ）、６２…テレビ受信用セットトップボックス（ＳＴＢ）、６３…テレビ受像機、ＣＬ…館内共聴ライン、ＧＲ…客室、ＷＮ…インターネット網。
【図１】
2011109249.tif 000003
【図２】
2011109249.tif 000004
【図３】
2011109249.tif 000005
【図４】
2011109249.tif 000006
【図５】
2011109249.tif 000007
【図６】
2011109249.tif 000008
【図７】
2011109249.tif 000009
【図８】
2011109249.tif 000010
【図９】
2011109249.tif 000011
【図１０】
2011109249.tif 000012
【図１１】
2011109249.tif 000013
【図１２】
2011109249.tif 000014
【図１３】
2011109249.tif 000015
【図１４】
2011109249.tif 000016